(57)【要約】【課題】  熱に対して高感度な記録膜をもつ記録媒体の初期化。【解決手段】  長手方向と短手方向を有する長円形レーザスポットを形成し、該長円形レーザスポットの長手方向を記録トラック方向に対して平行以外の角度をなすように配置し、前記長円形レーザスポットの長手方向の光強度分布を、光強度の最大値をＨ１（Ｈ１＞０）、移動方向の前方端部、右端を後方端部と呼び、該前方端部の光強度をＨ２（Ｈ２＞０）、後方端部の光強度をＨ３（Ｈ３＞０）、両端部を除く光強度の平均値をＨ４（１００＞Ｈ４＞０）、前記光強度Ｈ１を１００％とし、前記前方端部の勾配部の幅をＷ１、前記後方端部の勾配部の幅をＷ２としたとき、光強度Ｈ１が１００％に対し、前記幅Ｗ１、幅Ｗ２、光強度Ｈ２、光強度Ｈ３、光強度Ｈ４との関係を、Ｈ２≧９０％又はＨ３≧９０％、Ｈ４≧８５％、Ｗ１≦４ｕｍ又はＷ２≦４ｕｍに設定した状態で前記初期化を行う初期化方法及び装置。【選択図】  図４
2007004902.tif 000002
【特許請求の範囲】
【請求項１】
レーザビームを照射することによって情報の記録が可能な情報記録媒体を初期化する記録媒体の初期化方法であって、
長手方向と短手方向を有する長円形レーザスポットを形成し、該長円形レーザスポットの長手方向を記録トラック方向に対して平行以外の角度をなすように配置し、前記長円形レーザスポットの長手方向の光強度分布を、光強度の最大値をＨ１（Ｈ１＞０）、移動方向の前方端部、右端を後方端部と呼び、該前方端部の光強度をＨ２（Ｈ２＞０）、後方端部の光強度をＨ３（Ｈ３＞０）、両端部を除く光強度の平均値をＨ４（１００＞Ｈ４＞０）、前記光強度Ｈ１を１００％とし、前記前方端部の勾配部の幅をＷ１、前記後方端部の勾配部の幅をＷ２としたとき、
前記光強度Ｈ１が１００％に対し、幅Ｗ１、幅Ｗ２、光強度Ｈ２、光強度Ｈ３、光強度Ｈ４との関係を、Ｈ２≧９０％又はＨ３≧９０％、Ｈ４≧８５％に設定した状態で前記初期化を行うことを特徴とする記録媒体の初期化方法。
【請求項２】
前記記録媒体の初期化方法において、前記幅Ｗ１及びＷ２を、Ｗ１≦４ｕｍ又はＷ２≦４ｕｍに設定した状態で前記初期化を行うことを特徴とする請求項１記載の記録媒体の初期化方法。
【請求項３】
レーザビームを照射することによって情報の記録が可能な情報記録媒体を初期化する記録媒体の初期化装置において、
長手方向と短手方向を有する長円形レーザスポットを形成するレーザヘッドと、前記長円形レーザスポットの長手方向を記録トラック方向に対して平行以外の角度をなすように配置して記録媒体の半径方向に移動するキャリッジとを備え、
前記長円形レーザスポットの長手方向の光強度分布を、光強度の最大値をＨ１（Ｈ１＞０）、移動方向の前方端部、右端を後方端部と呼び、該前方端部の光強度をＨ２（Ｈ２＞０）、後方端部の光強度をＨ３（Ｈ３＞０）、両端部を除く光強度の平均値をＨ４（１００＞Ｈ４＞０）、前記光強度Ｈ１を１００％とし、前記前方端部の勾配部の幅をＷ１、前記後方端部の勾配部の幅をＷ２としたとき、
前記光強度Ｈ１が１００％に対し、幅Ｗ１、幅Ｗ２、光強度Ｈ２、光強度Ｈ３、光強度Ｈ４との関係を、Ｈ２≧９０％又はＨ３≧９０％、Ｈ４≧８５％に設定した状態で前記初期化を行うことを特徴とする記録媒体の初期化装置。
【請求項４】
前記記録媒体の初期化装置において、前記幅Ｗ１及びＷ２を、Ｗ１≦４ｕｍ又はＷ２≦４ｕｍに設定した状態で前記初期化を行うことを特徴とする請求項３記載の記録媒体の初期化装置。
【発明の詳細な説明】
【技術分野】
【０００１】
本発明は、レーザビーム等の記録ビームによって情報を記録することが可能な情報記録媒体の初期化方法及び初期化装置に係り、特に熱に対してより敏感な記録膜をもつ情報記録媒体をより高品質に初期化することができる初期化方法及び初期化装置関にする。
【背景技術】
【０００２】
近年、書換え可能な大記録容量の光ディスクとして、レーザスポットの照射熱によって反射率が変化する相変化型記録膜を備えた相変化型ディスクが実用化されている。この相変化光ディスクは、レーザスポットを照射することにより記録面を熱により相変化して反射率を変化させ、この記録面膜の結晶と非結晶の可逆的特性を利用してデータを記録再生するものである。
【０００３】
この相変化型光ディスクの記録膜は、ディスク製造工程にてスパッタリング法等により形成し、この形成直後の記録膜がアモルファス（Ａｓ−ｄｅｐｏｓｉｔｅｄ）と呼ばれる非晶質な状態で膜面反射率が低く、光ディスク装置等での記録再生動作時に自動焦点制御やトラッキング制御が不安定となることから、記録膜を成膜後に当該記録膜を徐熱乃至徐冷する過程にて情報の記録再生に適した結晶状態にディスク記録膜面を変化させる工程が必要であり、この工程は初期化と呼ばれている。
【０００４】
この様な記録膜の結晶−非晶質間の相変化を利用して情報の記録を行う相変化型光ディスクにおいて、記録するレ−ザ照射時間とほぼ同じ程度の時間で結晶化が行える高速消去が可能な記録膜を用いた場合には、１つのエネルギ−ビ−ムのパワ−を読み出しパワ−レベルと読み出しパワ−レベルより高い２つのレベル、即ち高いパワ−レベルと中間のパワ−レベルとの間で変化させることにより、既存の情報を消去しながら新しい情報を記録する、いわゆるオ−バ−ライト（重ね書きによる書き換え）を行うことができる。
【０００５】
このような記録膜を持つ相変化光ディスクの従来技術による初期化（初期結晶化）は、図１に示す如く、例えば、出力５００ｍＷ〜１０Ｗの高出力レーザビームを長円形のレーザスポット３を形成し、この長円形のレーザスポット３の長手方向が光ディスク４の半径方向にほぼ一致するようにして照射し、記録膜を結晶化温度以上融点以下の温度範囲になる様に制御しつつ、光ディスク４の回転並びにレーザスポット３を進行方向Ａの如くディスク内周側から外周側へ１回転で少し重なるように移動することによって、行われている。
【０００６】
尚、前記相変化光ディスクの初期化に関する技術が記載された文献としては、例えば下記特許文献が挙げられる。
【特許文献１】特開２００５−０７１５１４号公報
【発明の開示】
【発明が解決しようとする課題】
【０００７】
近年の相変化光ディスクは、情報記録媒体の高速化に伴い、膜の材料が熱に対してより敏感となっており、このため前述した従来手法による初期化を行った場合、レーザスポットの前方端部又は後方端部に初期化跡が残ると言う不具合があった。これを図面を参照して説明すると、図２に示す如く、光ディスク４の半径方向である進行方向Ａに向かってレーザスポット３移動させた場合、記録膜上において、レーザスポット３の前方端部の跡２０、或いは後方端部の跡２１が残ると言う不具合が発生した。
【０００８】
この様に前方端部跡２０や後方端部跡２１が生じた相変化光ディスクにおけるトラック上の反射率変動は、図３に示す如く、トラック上の時間軸に対して反射率が上下に凹凸が生じてしまい、このような反射率変動が大きいために記録再生特性に悪影響を及ぼす可能性があると言う不具合があった。
【０００９】
本発明の目的は、前述の従来技術による不具合を除去することであり、熱に対して高感度な記録膜であってもより高品質な初期化状態を得ることができる初期化方法及び初期化装置を提供することである。
【課題を解決するための手段】
【００１０】
前記目的を達成する本発明は、レーザビームを照射することによって情報の記録が可能な情報記録媒体を初期化する記録媒体の初期化方法において、長手方向と短手方向を有する長円形レーザスポットを形成し、該長円形レーザスポットの長手方向を記録トラック方向に対して平行以外の角度をなすように配置し、前記長円形レーザスポットの長手方向の光強度分布を、光強度の最大値をＨ１（Ｈ１＞０）、移動方向の前方端部、右端を後方端部と呼び、該前方端部の光強度をＨ２（Ｈ２＞０）、後方端部の光強度をＨ３（Ｈ３＞０）、両端部を除く光強度の平均値をＨ４（１００＞Ｈ４＞０）、前記光強度Ｈ１を１００％とし、前記前方端部の勾配部の幅をＷ１、前記後方端部の勾配部の幅をＷ２としたとき、前記光強度Ｈ１が１００％に対し、幅Ｗ１、幅Ｗ２、光強度Ｈ２、光強度Ｈ３、光強度Ｈ４との関係を、Ｈ２≧９０％又はＨ３≧９０％、Ｈ４≧８５％に設定した状態で前記初期化を行うことを第１の特徴とし、この記録媒体の初期化方法において、前記幅Ｗ１及びＷ２を、Ｗ１≦４ｕｍ又はＷ２≦４ｕｍに設定した状態で前記初期化を行うことを第２の特徴とする。
【００１１】
また本発明は、レーザビームを照射することによって情報の記録が可能な情報記録媒体を初期化する記録媒体の初期化装置において、長手方向と短手方向を有する長円形レーザスポットを形成するレーザヘッドと、前記長円形レーザスポットの長手方向を記録トラック方向に対して平行以外の角度をなすように配置して記録媒体の半径方向に移動するキャリッジとを備え、前記長円形レーザスポットの長手方向の光強度分布を、光強度の最大値をＨ１（Ｈ１＞０）、移動方向の前方端部、右端を後方端部と呼び、該前方端部の光強度をＨ２（Ｈ２＞０）、後方端部の光強度をＨ３（Ｈ３＞０）、両端部を除く光強度の平均値をＨ４（１００＞Ｈ４＞０）、前記光強度Ｈ１を１００％とし、前記前方端部の勾配部の幅をＷ１、前記後方端部の勾配部の幅をＷ２としたとき、前記幅Ｗ１、幅Ｗ２、光強度Ｈ２、光強度Ｈ３、光強度Ｈ４との関係を、光強度Ｈ１が１００％に対し、Ｈ２≧９０％又はＨ３≧９０％、Ｈ４≧８５％に設定した状態で前記初期化を行うことを第３の特徴とし、該記録媒体の初期化装置において、前記幅Ｗ１及びＷ２を、Ｗ１≦４ｕｍ又はＷ２≦４ｕｍに設定した状態で前記初期化を行うことを第４の特徴とする。
【発明の効果】
【００１２】
本発明によれば、記録媒体の初期化を行う長円形レーザスポットの長手方向の光強度分布を、前記幅Ｗ１、幅Ｗ２、光強度Ｈ２、光強度Ｈ３、光強度Ｈ４との関係を、Ｈ２≧９０％又はＨ３≧９０％、Ｈ４≧８５％、Ｗ１≦４ｕｍ又はＷ２≦４ｕｍに設定した状態で前記初期化を行うことによって、レーザスポット端部の光強度が強く、その強度勾配が鋭い光強度分布を有するレーザスポットを照射することにより、従来に比べて高品質な初期化状態を得ることができる。
【発明を実施するための最良の形態】
【００１３】
以下、本発明の一実施形態による記録媒体の初期化方法及び初期化装置を説明するものであるが、先に本発明の原理を説明する。まず、レーザビームが照射された初期化状態は、そのレーザスポット内で均一であることが望ましいが、スポットの中央部と端部とでは、隣接する光強度の有無によって与える熱エネルギーに差が生じていることが考えられ、発明者らは、前述の不具合が、記録膜の熱に対する感度が向上し、従来は問題とならなかったレーザスポット３内のレーザ強度分布がレーザスポット３端部においてより多く熱反応が生じ、前述の跡が生じることを発見した。
【００１４】
即ち、発明者らは、レーザスポット中央部においては、トラック方向に同様の光強度が存在するために熱が円周方向にしか拡散しないが、レーザスポット端部においては、円周方向に加えてトラック方向にも熱が拡散するため、レーザスポット中央部と全く同じ初期化状態にはなり難く、更に高出力半導体レーザを用いて集光させたレーザスポットの光強度分布が端部において光強度の勾配が必ず存在するため、与える熱エネルギーはレーザスポット中央部に比べて弱くなり、このため前述の不具合が発生することを見出した。
【００１５】
そこで発明者らは、前述の不具合を解決するためには、前述の初期化を行うレーザスポット端部の光強度を強くし、且つ該レーザスポット端部の勾配を鋭くした光強度分布を有するレーザスポットを用いて初期化を行うことにより、前述の跡が発生しない本願発明を成したものである。
【００１６】
以下、本発明による記録媒体の初期化方法及び初期化装置の一実施形態を図面を参照して詳細に説明する。図４は本実施形態に適用されるレーザスポットの初期化時のスポット移動方向に対する光強度分布を説明するための図、図５は本実施形態に好適な相変化光ディスク変化の初期化装置の構成を説明するための図である。
【００１７】
本実施形態による初期化装置は、図５に示す如く、相変化光ディスク４を回転駆動するスピンドルモータ９と、レーザスポット３を対物レンズ２を介して前記相変化光ディスク４に照射するレーザヘッド１と、該レーザヘッド１を支持して相変化光ディスク４の半径方向５に直線移動するためのキャリッジ６と、該キャリッジ６を駆動するキャリッジモータ７と、前記キャリッジ６の移動距離を検出するためのリニアスケール８と、前記スピンドルモータ９の回転角度を検出するためのロータリエンコーダ１０と、前記リニアスケール８並びにロータリエンコーダ１０からの検出信号を基にキャリッジモータ７によるレーザスポット３の移動制御並びにスピンドルモータ９の回転制御を行うマイクロプロセッサ１１とから構成され、マイクロプロセッサ１１が相変化光ディスク４の回転数を制御しながらレーザスポット３を相変化光ディスク４の半径方向の移動制御を行うことによって、相変化光ディスク４の全面を初期化を行う様に構成されている。
【００１８】
本実施形態によるレーザスポット３は、レーザスポットを長手方向から見た光強度分布を示す図４に示す如く、光強度の最大値をＨ１、図面左端をレーザスポット移動方向の前方端部、右端を後方端部と呼び、該前方端部の光強度をＨ２、後方端部の光強度をＨ３、両端部を除く（後述の幅Ｗと幅１Ｗ２の光強度を除く）光強度の平均値をＨ４、前記光強度Ｈ１を１００％としたときの２０％の光強度をＨ５、同８０％の光強度をＨ６とし、前方端部の勾配部の幅をＷ１、後方端部の勾配部の幅をＷ２としたとき、前記幅Ｗ１、幅Ｗ２、光強度Ｈ２、光強度Ｈ３、光強度Ｈ４との関係を、Ｗ１≦４ｕｍ又はＷ２≦４ｕｍ、Ｈ２＝Ｈ３≧９０％、Ｈ４≧８５％と設定することにより、前述の図２に示した跡２０及び２１が生じることがなく、初期化特性が良好であることを実験より確認した。尚、光強度の最大値Ｈ１は、Ｈ１＞０、前方端部の光強をＨ２はＨ２＞０、後方端部光強度Ｈ３はＨ３＞０、両端部を除く光強度の平均をＨ４は１００＞Ｈ４＞０である。
【００１９】
この実験は、前記幅Ｗ１、幅Ｗ２、光強度Ｈ２、光強度Ｈ３、光強度Ｈ４の関係を、Ｗ１≦４ｕｍ又はＷ２≦４ｕｍ、Ｈ２＝Ｈ３において、Ｈ２＝１００％、９５％、９０％、８５％、８０％、Ｈ４＝９５％、９０％、８５％、８０％のレーザスポットにて初期化した場合の初期化特性を調査し、見出したものである。尚、幅Ｗ１と幅Ｗ２の関係及びＨ２とＨ３の関係は、同程度であることが望ましいが、同一である必要はない。
【表１】
2007004902.tif 000003
【００２０】
以上の結果より、レーザスポットの長手方向の光強度分布は、Ｗ１≦４ｕｍ又はＷ２≦４ｕｍ、Ｈ２＝Ｈ３≧９０％、Ｈ４≧８５％の場合に初期化特性が良好であることがわかった。
【００２１】
従って本実施形態による記録媒体の初期化方法及び初期化装置は、マイクロプロセッサ１１が前記レーザヘッド１の半導体レーザ素子（図示せず）から出力し且つ対物レンズを介したレーザスポットの出力分布を前記Ｗ１≦４ｕｍ又はＷ２≦４ｕｍ、Ｈ２＝Ｈ３≧９０％、Ｈ４≧８５％と制御、又は対物レンズを介したレーザスポットの出力分布が前記Ｗ１≦４ｕｍ又はＷ２≦４ｕｍ、Ｈ２＝Ｈ３≧９０％、Ｈ４≧８５％となるような半導体レーザ素子（必要なら対物レンズとの組合せを含む）を選定することによって、熱に対して高感度な記録膜であっても跡の生じない高品質な初期化状態を得ることができる。また、本発明の初期化方法は、記録層を２つ以上を有する多層膜記録媒体においても適用できる。
【００２２】
また本発明は、次のように表すこともできる。
＜実施形態１＞
レーザビームを照射することによって情報の記録が可能な情報記録媒体を最初に記録可能な状態にする初期化方法において、長手方向と短手方向を有する長円形ビームスポットを形成し、該長円形ビームスポットの長手方向を記録トラック方向に対して平行以外の角度をなすように配置し、上記長円形ビームスポットの長手方向の光強度分布において、光強度の最大値を１００％とした時の平均値が８５％以上で、かつ両端の光強度が９０％以上であるビームスポットを用いて初期化を行うことを特徴とする情報記録媒体の初期化方法。
＜実施形態２＞
実施形態１記載の情報記録媒体の初期化方法において、長手方向の光強度分布の両端にて、光強度の最大値を１００％とした時の２０％から平均値８０％まで立ち上がる間隔が４ｕｍ以下の急勾配を持つ長円形ビームスポットを用いて初期化を行うことを特徴とする情報記録媒体の初期化方法。
＜実施形態３＞
レーザビームを照射することによって情報の記録が可能な情報記録媒体を最初に記録可能な状態にする初期化方法において、長手方向と短手方向を有する長円形ビームスポットを形成し、該長円形ビームスポットの長手方向を記録トラック方向に対して平行以外の角度をなすように配置し、上記長円形ビームスポットの長手方向の光強度分布において、光強度の最大値を１００％とした時の平均値が８５％以上で、かつ片側の端の光強度が９０％以上である長円形ビームスポットを用いて初期化を行うことを特徴とする情報記録媒体の初期化方法。
【００２３】
＜実施形態４＞
実施形態３記載の情報記録媒体の初期化方法において、長手方向の光強度分布の片側の端にて、光強度の最大値を１００％とした時の２０％から平均値８０％まで立ち上がる間隔が４ｕｍ以下の急勾配を持つ長円形ビームスポットを用いて初期化を行うことを特徴とする情報記録媒体の初期化方法。
＜実施形態５＞
レーザビームを照射することによって情報の記録が可能な情報記録媒体を最初に記録可能な状態にする初期化装置において、長手方向と短手方向を有する長円形ビームスポットを形成し、長手方向の光強度分布において、光強度の最大値を１００％とした時の平均値が８５％以上で、かつ両端の光強度が９０％以上である長円形ビームスポットを有していることを特徴とする情報記録媒体の初期化装置。
＜実施形態６＞
実施形態５記載の情報記録媒体の初期化装置において、長手方向の光強度分布の両端にて、光強度の最大値を１００％とした時の２０％から平均値８０％まで立ち上がる間隔が４ｕｍ以下の急勾配を持つ長円形ビームスポットを用いて初期化を行うことを特徴とする情報記録媒体の初期化装置。
＜実施形態７＞
レーザビームを照射することによって情報の記録が可能な情報記録媒体を最初に記録可能な状態にする初期化装置において、長手方向と短手方向を有する長円形ビームスポットを形成し、長手方向の光強度分布において、光強度の最大値を１００％とした時の平均値が８５％以上で、かつ片側の端の光強度が９０％以上である長円形ビームスポットを有していることを特徴とする情報記録媒体の初期化装置。
＜実施形態８＞
実施形態７記載の情報記録媒体の初期化装置において、長手方向の光強度分布の片側の端にて、光強度の最大値を１００％とした時の２０％から平均値８０％まで立ち上がる間隔が４ｕｍ以下の急勾配を持つ長円形ビームスポットを用いて初期化を行うことを特徴とする情報記録媒体の初期化装置。
【図面の簡単な説明】
【００２４】
【図１】相変化光ディスクの初期化処理を説明するための図。
【図２】従来技術により初期化による不具合を説明するための図。
【図３】従来技術により初期化による反射率波形を説明するための図。
【図４】本発明の一実施形態によるレーザスポットの光強度分布を示す図。
【図５】本実施形態に好適な初期化装置の構成を示す図。
【符号の説明】
【００２５】
１：レーザヘッド、２：対物レンズ、３：レーザスポット、４：相変化光ディスク、６：キャリッジ、７：キャリッジモータ、８：リニアスケール、９：スピンドルモータ、１０：ロータリエンコーダ、１１：マイクロプロセッサ、２０：前方端部跡、２１：後方端部跡、Ｈ１：光強度の最大値、Ｈ２：前方端部の光強度、Ｈ３：後方端部の光強度、Ｈ４：両端部を除く光強度の平均値、Ｗ１：前方端部の勾配部の幅、Ｗ２：後方端部の勾配部の幅。
【図１】
2007004902.tif 000004
【図２】
2007004902.tif 000005
【図３】
2007004902.tif 000006
【図４】
2007004902.tif 000007
【図５】
2007004902.tif 000008